(57)【特許請求の範囲】
【請求項１】
利用者端末と、会員専用サイトの会員情報を格納する会員データベースと、前記利用者端末から、ウェブページを要求するＨＴＴＰリクエストを受信する手段と、前記受信したＨＴＴＰリクエストの要求内容を分析して、前記会員データベースを用いて作成したウェブページのＨＴＭＬデータを返信する手段とを備えた会員専用サイトメインサーバと、会員専用サイトサブサーバと、会員専用サイト外対応サーバとを備えた会員向けターゲティング広告提供システムであって、
前記会員専用サイトサブサーバは、
前記会員専用サイトの会員情報を格納する会員情報記憶部と、
前記利用者端末から前記会員専用サイトの会員ＩＤを受信することに応答して、会員ＩＤに対応するセグメントＩＤ、および当該会員専用サイトサブサーバのドメインのクッキーＩＤを前記利用者端末に送信する会員ＩＤ処理手段であって、当該セグメントＩＤは、前記会員情報記憶部を参照して、会員情報の１または任意の複数の組み合わせに基づいて生成される、会員ＩＤ処理手段と、
ターゲティング広告がクリックされた場合に表示される、ターゲティング広告に対応するランディングページを提供するランディングページ提供手段と
を備え、
前記会員専用サイト外対応サーバは、
前記利用者端末から、前記会員専用サイトサブサーバが生成した前記セグメントＩＤを受信することに応答して、当該会員専用サイト外対応サーバのドメインのクッキーＩＤを前記利用者端末に送信するセグメントＩＤ処理手段と
を備え、
前記利用者端末のブラウザが、前記会員専用サイトメインサーバから受信した前記ＨＴＭＬデータに埋め込まれたプログラムに従って、会員ＩＤを前記会員専用サイトサブサーバに送信し、セグメントＩＤを前記会員専用サイト外対応サーバに送信し、前記会員専用サイト外対応サーバから受信したクッキーＩＤと前記会員専用サイトサブサーバから受信したセグメントＩＤとを広告配信サーバに送信し、前記広告配信サーバから受信した前記広告配信サーバのドメインのクッキーＩＤを当該ブラウザの広告配信サーバ用クッキーに記録し、
ブラウザに前記広告配信サーバ用クッキーが記録された利用者端末が、前記広告配信サーバにアクセスした場合、前記広告配信サーバ用クッキーのクッキーＩＤ、および前記広告配信サーバが有するターゲティングデータ記憶部で指定される配信条件とターゲティング広告の情報に基づいて、前記広告配信サーバ用クッキーのクッキーＩＤに対応するセグメントＩＤで指定された会員向けターゲティング広告が当該利用者端末に提供され、前記ターゲティング広告の情報には、ランディングページを提供する前記会員専用サイトサブサーバにアクセスさせるリンクが含まれることを特徴とするシステム。
【請求項２】
前記会員専用サイトサブサーバは、
会員ＩＤに関連付けて、前記会員専用サイトサブサーバのドメインのクッキーＩＤを格納する会員専用サイト内ＩＤ記憶部と、
エントリー対象のキャンペーン広告を識別する広告ＩＤと、当該キャンペーンにエントリーが完了した会員の会員ＩＤを格納するエントリー情報記憶部と、
前記利用者端末から、エントリー要求を受信することに応答して、受信したエントリー要求に前記会員専用サイトサブサーバのドメインのクッキーＩＤが含まれるか否かを判定し、クッキーＩＤが含まれる場合、前記クッキーＩＤに対応する会員ＩＤを前記会員専用サイト内ＩＤ記憶部から取得して、エントリー対象のキャンペーン広告を識別する広告ＩＤと共に前記エントリー情報記憶部に格納するエントリー要求処理手段と
をさらに備え、
前記会員ＩＤ処理手段は、前記受信した会員ＩＤ、および前記会員専用サイトサブサーバのドメインのクッキーＩＤを前記会員専用サイト内ＩＤ記憶部に格納し、
前記利用者端末の前記ブラウザは、前記会員専用サイトサブサーバから受信したクッキーＩＤおよびセグメントＩＤを、当該ブラウザの会員専用サイトサブサーバ用クッキーに記録し、
前記利用者端末の前記ブラウザが、前記会員専用サイトサブサーバから受信したランディングページのＨＴＭＬデータに埋め込まれたプログラムに従って、前記会員専用サイトサブサーバ用クッキーから取得したクッキーＩＤを、前記エントリー要求に含めることを特徴とする請求項１に記載のシステム。
【請求項３】
前記会員専用サイト外対応サーバは、前記広告配信サーバに、特定のセグメントＩＤに分類される会員に会員向けターゲティング広告が提供されるよう、セグメントＩＤおよび会員向けターゲティング広告の情報を含む広告配信要求を送信する広告配信要求手段をさらに備えたことを特徴とする請求項１または２に記載のシステム。
【請求項４】
前記会員専用サイト外対応サーバは、
配信を希望する広告の広告ＩＤごとに、当該広告の配信対象となるセグメントＩＤを指定するための会員情報を格納する広告配信条件記憶部と、
配信を希望する広告の広告ＩＤ、および複数のセグメント群の中から１または複数のセグメントの選択指示を受信して、選択されたセグメントに対応する会員情報を前記広告配信条件記憶部に格納する広告配信条件処理手段と
をさらに備え、
前記広告配信要求手段は、前記広告配信条件記憶部に基づいて、前記広告配信サーバに前記広告配信要求を送信することを特徴とする請求項３に記載のシステム。
【請求項５】
前記会員専用サイト外対応サーバは、
前記会員専用サイト外対応サーバのドメインのクッキーＩＤ、およびセグメントＩＤを格納する会員専用サイト外ＩＤ記憶部と、
前記広告配信サーバから受信した広告配信ログを格納する広告配信ログ記憶部であって、当該広告配信ログには、前記会員専用サイト外対応サーバのドメインのクッキーＩＤおよびアクセス先が含まれる、広告配信ログ記憶部と、
前記広告配信ログに含まれるクッキーＩＤに対応するセグメントＩＤを、前記会員専用サイト外ＩＤ記憶部から取得し、前記取得したセグメントＩＤから、当該セグメントＩＤによって識別されるセグメントの属性情報を取得し、前記取得した属性情報および前記広告配信ログに含まれる前記アクセス先に基づいて、会員の属性情報と、アクセス先のウェブサイトとの関係を分析する広告配信ログ分析手段と
をさらに備え
前記セグメントＩＤ処理手段は、前記会員専用サイト外対応サーバのドメインのクッキーＩＤ、および前記受信したセグメントＩＤを前記会員専用サイト外ＩＤ記憶部に格納することを特徴とする請求項３に記載のシステム。
【請求項６】
利用者端末と、会員専用サイトの会員情報を格納する会員データベースと、前記利用者端末から、ウェブページを要求するＨＴＴＰリクエストを受信する手段と、前記受信したＨＴＴＰリクエストの要求内容を分析して、前記会員データベースを用いて作成したウェブページのＨＴＭＬデータを返信する手段とを備えた会員専用サイトメインサーバと、会員情報記憶部を備えた会員専用サイトサブサーバと、会員専用サイト外対応サーバと、広告配信サーバとを備えた会員向けターゲティング広告提供システムにおいて、
前記利用者端末のブラウザが、前記会員専用サイトメインサーバにＨＴＴＰリクエストを送信するステップと、
前記ブラウザが、前記会員専用サイトメインサーバからＨＴＭＬデータを受信するステップと、
前記ブラウザが、前記会員専用サイトメインサーバから受信した前記ＨＴＭＬデータを解析し、当該ＨＴＭＬデータに埋め込まれたプログラムに従って、前記会員専用サイトサブサーバに会員ＩＤを送信するステップであって、前記会員ＩＤは、前記会員専用サイト内で特定の会員を識別する、ステップと
前記会員専用サイトサブサーバが、受信した会員ＩＤに対応するセグメントＩＤ、および当該会員専用サイトサブサーバのドメインのクッキーＩＤを前記利用者端末に送信するステップであって、前記セグメントＩＤは、前記会員情報記憶部を参照して、会員情報の１または任意の複数の組み合わせに基づいて生成される、ステップと、
前記ブラウザが、前記会員専用サイト外対応サーバに前記セグメントＩＤを送信するステップと、
前記会員専用サイト外対応サーバが、当該会員専用サイト外対応サーバのドメインのクッキーＩＤを前記利用者端末に送信するステップと、
前記ブラウザが、前記広告配信サーバに、前記会員専用サイト外対応サーバのドメインのクッキーＩＤ、および前記セグメントＩＤを送信するステップと、
前記ブラウザが、前記広告配信サーバから受信した前記広告配信サーバのドメインのクッキーＩＤを当該ブラウザの広告配信サーバ用クッキーに記録するステップと、
前記ブラウザが、前記広告配信サーバにＨＴＴＰリクエストを送信するステップと、
前記ブラウザが、前記広告配信サーバから、当該ブラウザに記録された前記広告配信サーバ用クッキーのクッキーＩＤに対応するセグメントＩＤに対して指定された会員向けターゲティング広告を受信するステップと、
前記ターゲティング広告がクリックされることに応答して、前記ブラウザが、前記会員専用サイトサブサーバにＨＴＴＰリクエストを送信するステップと、
前記会員専用サイトサブサーバが、前記利用者端末にランディングページを提供するステップと
を実行することを特徴とする方法。
【請求項７】
前記会員専用サイトサブサーバは、会員ＩＤに関連付けて、前記会員専用サイトサブサーバのドメインのクッキーＩＤを格納する会員専用サイト内ＩＤ記憶部と、エントリー対象のキャンペーン広告を識別する広告ＩＤと、当該キャンペーンにエントリーが完了した会員の会員ＩＤを格納するエントリー情報記憶部とをさらに備え、
前記会員専用サイトサブサーバが、前記受信した会員ＩＤ、および前記会員専用サイトサブサーバのドメインのクッキーＩＤを前記会員専用サイト内ＩＤ記憶部に格納するステップと、
前記ブラウザが、前記会員専用サイトサブサーバから受信したクッキーＩＤおよびセグメントＩＤを、当該ブラウザの会員専用サイトサブサーバ用クッキーに記録するステップと、
前記会員専用サイトサブサーバから受信したランディングページのＨＴＭＬデータに埋め込まれたプログラムに従って、前記ブラウザが、前記会員専用サイトサブサーバ用クッキーから取得したクッキーＩＤを含むエントリー要求を前記会員専用サイトサブサーバに送信するステップと、
前記会員専用サイトサブサーバが、前記受信したエントリー要求に前記会員専用サイトサブサーバのドメインのクッキーＩＤが含まれるか否かを判定するステップと、
前記会員専用サイトサブサーバのドメインのクッキーＩＤが含まれる場合、前記会員専用サイトサブサーバが、前記会員専用サイトサブサーバのドメインのクッキーＩＤに対応する会員ＩＤを前記会員専用サイト内ＩＤ記憶部から取得して、エントリー対象のキャンペーン広告を識別する広告ＩＤと共に前記エントリー情報記憶部に格納するステップと
をさらに実行することを特徴とする請求項６に記載の方法。
【請求項８】
前記会員専用サイト外対応サーバが、前記広告配信サーバに、特定のセグメントＩＤに分類される会員に会員向けターゲティング広告が提供されるよう、セグメントＩＤおよび会員向けターゲティング広告の情報を含む広告配信要求を送信するステップをさらに実行することを特徴とする請求項６または７に記載の方法。
【請求項９】
前記会員専用サイト外対応サーバは、配信を希望する広告の広告ＩＤごとに、当該広告の配信対象となるセグメントＩＤを指定するための会員情報を格納する広告配信条件記憶部をさらに備え、
前記会員専用サイト外対応サーバが、配信を希望する広告の広告ＩＤ、および複数のセグメント群の中から１または複数のセグメントの選択指示を受信して、選択されたセグメントに対応する会員情報を前記広告配信条件記憶部に格納するステップをさらに実行し、
前記会員専用サイト外対応サーバは、前記広告配信条件記憶部に基づいて、前記広告配信サーバに前記広告配信要求を送信することを特徴とする請求項８に記載の方法。
【請求項１０】
前記会員専用サイト外対応サーバは、前記会員専用サイト外対応サーバのドメインのクッキーＩＤ、およびセグメントＩＤを格納する会員専用サイト外ＩＤ記憶部と、前記広告配信サーバから受信した広告配信ログを格納する広告配信ログ記憶部であって、当該広告配信ログには、前記会員専用サイト外対応サーバのドメインのクッキーＩＤおよびアクセス先が含まれる、広告配信ログ記憶部とをさらに備え、
前記会員専用サイト外対応サーバが、当該会員専用サイト外対応サーバのドメインのクッキーＩＤ、および前記受信したセグメントＩＤを前記会員専用サイト外ＩＤ記憶部に格納するステップと、
前記会員専用サイト外対応サーバが、前記広告配信ログに含まれるクッキーＩＤに対応するセグメントＩＤを、前記会員専用サイト外ＩＤ記憶部から取得するステップと、
前記会員専用サイト外対応サーバが、前記取得したセグメントＩＤから、当該セグメントＩＤによって識別されるセグメントの属性情報を取得するステップと、
前記会員専用サイト外対応サーバが、前記取得した属性情報および前記広告配信ログに含まれる前記アクセス先に基づいて、会員の属性情報と、アクセス先のウェブサイトとの関係を分析するステップと
をさらに実行することを特徴とする請求項８に記載の方法。
【請求項１１】
請求項６乃至１０のいずれかに記載の方法をコンピュータに実行させるためのプログラム。
【発明の詳細な説明】
【技術分野】
【０００１】
本発明は、会員向けターゲティング広告提供システムおよびその方法に関し、より詳細には、従来、会員専用サイト内でのみ表示されていた会員向けターゲティング広告を、利用者の個人情報を流出することなく、会員専用サイト外の広告枠で提供するシステムおよび方法に関する。
【背景技術】
【０００２】
従来より、利用者に商品またはサービスを提供する企業等では、商品等の購入申込、購入履歴の参照、会員向け広告の提供など、様々なサービスを提供する会員専用サイトを運営している。
【０００３】
会員専用サイトの利用者は、利用者端末から会員ＩＤとパスワードを入力して会員専用サイトにログインすることで、特定の会員向けの情報提供ページを閲覧することができる。
【０００４】
会員専用サイトを提供するシステムは、ログイン情報に含まれる会員ＩＤに基づいて会員情報（年齢、性別、嗜好など）を取得して、情報提供ページにおいて、会員情報に応じて選択した広告を表示することができる。
【０００５】
ところで、インターネット広告の手法の一つとして、広告主のウェブサイトを訪問した利用者の履歴を元に、この利用者が一旦ウェブサイトを離れたのちに、リターゲティング広告サービスを提供する事業者のウェブサイトにアクセスした際に、広告主のウェブサイトへの再訪を促す広告を配信するリターゲティング広告（特許文献１、非特許文献１）が知られている。
【０００６】
リターゲティング広告は、商品の購入などの成約率が高くなる傾向にある、広告主に一定の興味を持つ利用者に、繰り返し広告主の情報を提示することができるというメリットを有する。一方で、リターゲティング広告を行うためには、利用者のインターネット上での閲覧履歴等が収集され、分析されることとなるので、利用される閲覧履歴の粒度や、その利用先について、利用者側のプライバシー保護の観点から配慮しなければならないという課題がある。
【先行技術文献】
【特許文献】
【０００７】
【特許文献１】特開２０１３−２５７７２４号公報
【非特許文献】
【０００８】
【非特許文献１】グーグル株式会社、“リマーケティングの仕組み”、[online]、［平成２６年１１月２８日検索］、インターネット<URL: https://support.google.com/adwords/answer/2454000?hl=ja>
【発明の概要】
【発明が解決しようとする課題】
【０００９】
従来のリアルタイム入札（RTB）やアドネットワークなどのアドテクノロジーを利用して、会員専用サイトの運営者が、会員専用サイト内で表示される会員向けターゲティング広告を会員専用サイト外の広告枠で提供することを望む場合、会員向けターゲティング広告を提供する対象であることを特定し得る会員情報を、何らかの形式でアドテクノロジーを使った広告サービスを提供する事業者に渡す必要がある。しかしながら、会員専用サイト内での会員ＩＤをそのまま外部に露出することは、会員の、会員専用サイト内での個人情報保護の観点から望ましくなかった。
【００１０】
また、会員専用サイトの運営者が従来のアドテクノロジーを利用して、アドテクノロジーを使った広告サービスを提供する広告配信サーバから、会員専用サイトのシステムを運営するウェブサーバに広告配信ログが送信された場合、会員専用サイトの運営者が、会員の同意を得ることなく、会員専用サイトを離れた後の利用者の閲覧履歴等を知ることとなる。これは、会員の、会員専用サイト外での個人情報保護の観点から好ましくない。
【００１１】
本発明は、このような問題に鑑みてなされたもので、その目的とするところは、会員専用サイト内で表示される会員向けターゲティング広告を、利用者の個人情報を流出することなく、会員専用サイト外の広告枠で提供するシステムを提供することにある。
【課題を解決するための手段】
【００１２】
上記の課題を解決するために、本発明に係る会員向けターゲティング広告提供システムは、利用者端末と、会員専用サイトの会員情報を格納する会員データベースと、前記利用者端末から、ウェブページを要求するＨＴＴＰリクエストを受信する手段と、前記受信したＨＴＴＰリクエストの要求内容を分析して、前記会員データベースを用いて作成したウェブページのＨＴＭＬデータを返信する手段とを備えた会員専用サイトメインサーバと、会員専用サイトサブサーバと、会員専用サイト外対応サーバとを備えた会員向けターゲティング広告提供システムであって、前記会員専用サイトサブサーバは、前記会員専用サイトの会員情報を格納する会員情報記憶部と、前記利用者端末から前記会員専用サイトの会員ＩＤを受信することに応答して、会員ＩＤに対応するセグメントＩＤ、および当該会員専用サイトサブサーバのドメインのクッキーＩＤを前記利用者端末に送信する会員ＩＤ処理手段であって、当該セグメントＩＤは、前記会員情報記憶部を参照して、会員情報の１または任意の複数の組み合わせに基づいて生成される、会員ＩＤ処理手段と、ターゲティング広告がクリックされた場合に表示される、ターゲティング広告に対応するランディングページを提供するランディングページ提供手段とを備え、前記会員専用サイト外対応サーバは、前記利用者端末から、前記会員専用サイトサブサーバが生成した前記セグメントＩＤを受信することに応答して、当該会員専用サイト外対応サーバのドメインのクッキーＩＤを前記利用者端末に送信するセグメントＩＤ処理手段とを備え、前記利用者端末のブラウザが、前記会員専用サイトメインサーバから受信した前記ＨＴＭＬデータに埋め込まれたプログラムに従って、会員ＩＤを前記会員専用サイトサブサーバに送信し、セグメントＩＤを前記会員専用サイト外対応サーバに送信し、前記会員専用サイト外対応サーバから受信したクッキーＩＤと前記会員専用サイトサブサーバから受信したセグメントＩＤとを広告配信サーバに送信し、前記広告配信サーバから受信した前記広告配信サーバのドメインのクッキーＩＤを当該ブラウザの広告配信サーバ用クッキーに記録し、ブラウザに前記広告配信サーバ用クッキーが記録された利用者端末が、前記広告配信サーバにアクセスした場合、前記広告配信サーバ用クッキーのクッキーＩＤ、および前記広告配信サーバが有するターゲティングデータ記憶部で指定される配信条件とターゲティング広告の情報に基づいて、前記広告配信サーバ用クッキーのクッキーＩＤに対応するセグメントＩＤで指定された会員向けターゲティング広告が当該利用者端末に提供され、前記ターゲティング広告の情報には、ランディングページを提供する前記会員専用サイトサブサーバにアクセスさせるリンクが含まれる。
【発明の効果】
【００１３】
第１に、会員専用サイトの運営者は、会員専用サイトドメインのクッキーＩＤおよび会員専用サイトの会員ＩＤ等の個人情報を広告配信サーバに流出することなく、会員向けターゲティング広告を会員専用サイト外の広告枠で提供することができる。この際、会員専用サイトの運営者は、会員専用サイトのシステムを運営するウェブサーバを修正することなく、当該ウェブサーバが提供する会員専用サイト内のウェブページのＨＴＭＬデータにタグを設定するだけで、当該効果を享受することができる。
【００１４】
第２に、会員専用サイトの会員は、自己の個人情報を会員専用サイト外に流出することなく、自らが一定の興味を有する広告に、会員専用サイト外のウェブサイトを経由してたどり着くことができる。この際、会員専用サイト側では、会員が会員専用サイト外のどのウェブサイトを経由して広告にたどり着いたのかを示す広告配信ログを受け取れないようにすることができるので、個人情報の問題を回避することができる。
【００１５】
第３に、アドテクノロジーを使った広告サービスを提供する事業者は、従来サービス提供が現実的に難しかった会員専用サイトの運営者についても、顧客として獲得することができる。
【図面の簡単な説明】
【００１６】
【図１】本発明の一実施形態に係る全体ネットワーク構成を示す図である。
【図２】本発明の一実施形態に係る会員専用サイトサブサーバの構成を示すブロック図である。
【図３】本発明の一実施形態に係る会員専用サイト内ＩＤ記憶部に格納された情報の一例を示す図である。
【図４】本発明の一実施形態に係るエントリー情報記憶部に格納された情報の一例を示す図である。
【図５】本発明の一実施形態に係る会員専用サイト外対応サーバの構成を示すブロック図である。
【図６】本発明の一実施形態に係る会員専用サイト外ＩＤ記憶部に格納された情報の一例を示す図である。
【図７】本発明の一実施形態に係る会員向けターゲティング広告提供処理を示すメッセージシーケンス図である。
【図８】本発明の一実施形態に係るＩＤ記憶部に格納された情報の一例を示す図である。
【図９】本発明の一実施形態に係るターゲティングデータ記憶部に格納された情報の一例を示す図である。
【図１０】本発明の別の実施形態に係る会員専用サイト外対応サーバの構成を示すブロック図である。
【図１１】本発明の一実施形態に係る広告配信条件記憶部に格納された情報の一例を示す図である。
【図１２】本発明の別の実施形態に係る会員専用サイト外対応サーバの構成を示すブロック図である。
【発明を実施するための形態】
【００１７】
以下、図面を参照して本発明の実施形態を詳しく説明する。図１は、本発明の一実施形態に係る全体ネットワーク構成を示す図である。図１において、会員専用サイト運営会社１が運営している会員専用サイトＡの会員は、コンピュータ、スマートフォンなどの利用者端末１０１から、インターネット１０２を介して、会員専用サイトメインサーバ１０３にアクセスする。会員は、利用者端末１０１から会員ＩＤとパスワードを入力して会員専用サイトＡにログインし、会員向けの情報提供ページを閲覧することができる。
【００１８】
また、会員は、利用者端末１０１から、インターネット１０２を介して、ウェブサイト運営会社３が運営しているウェブサイトＢにアクセスすることができる。
【００１９】
会員専用サイトメインサーバ１０３は、会員専用サイトＡ（my.com）のシステムを運営する。会員専用サイトメインサーバ１０３は、会員専用サイトＡの会員情報を格納する会員データベース１０４などを有し、利用者端末１０１を介した、会員からのログイン要求に応じて、会員データベース１０４を用いて認証処理を行い、認証に成功した場合、会員向け情報提供ページを提供する。
【００２０】
会員専用サイト運営会社１からシステム開発を依頼されたベンダー２には、会員専用サイトＡのサービスを一部担う会員専用サイトサブサーバ１０５（v.my.com）と、会員専用サイトＡ外における利用者端末１０１と後述する広告配信サーバ１１０（ad.com）との情報のやりとりを補助する会員専用サイト外対応サーバ１０７（v.com）とが設置されている。
【００２１】
ウェブサーバ１０９は、ウェブサイト運営会社３に設置され、ウェブサイトＢのシステムを提供する。なお、ウェブサイト運営会社３は、当該ウェブサイトＢの広告枠の管理を広告配信会社４に委託している。なお、図１には１台のウェブサーバ１０９のみ表示しているが、複数のウェブサイト運営会社が存在し、ウェブサイトごとにウェブサーバ１０９が設けられる。
【００２２】
広告配信サーバ１１０は、広告配信会社４に設置され、ターゲティングデータ記憶部１１１に基づいて、ウェブサイト運営会社３が運営しているウェブサイトＢを含む、広告配信の委託を受けたウェブサイトの広告枠に、広告を配信する。本発明では、会員専用サイトＡにログインした会員が、その後、利用者端末１０１からウェブサイトＢにアクセスしてきた場合、広告配信サーバ１１０は、表示されるウェブページの広告枠に、会員専用サイトＡの会員向けターゲティング広告を配信する。
【００２３】
なお、図１には１台の広告配信サーバ１１０のみ表示しているが、複数の広告配信会社が存在し、広告配信会社ごとに広告配信サーバ１１０が設けられる。
【００２４】
会員専用サイトサブサーバ１０５は、会員情報記憶部１０６を参照して、会員専用サイトＡの会員ＩＤに対応するセグメントＩＤを生成する。当該セグメントＩＤは、会員情報に含まれる年齢、性別、嗜好情報、住所等、会員情報の１または任意の複数の組み合わせに基づいて生成されるものであり、会員情報を直接明示的に含むものではないが、セグメントＩＤを解析することで、セグメントＩＤを生成する際に用いた、会員の属するセグメントに関する情報（例えば、年齢、性別等）を取得することができる。
【００２５】
本発明では、会員ＩＤに対応するセグメントＩＤを会員専用サイトサブサーバ１０５が生成し、広告配信サーバ１１０に渡すことで、利用者の会員ＩＤが外部に流出することを防ぎながら、会員の属性に合ったターゲティング広告を提供することができる。
【００２６】
会員専用サイトサブサーバ１０５で生成されたセグメントＩＤは利用者端末１０１に送られ、会員専用サイト外対応サーバ１０７は、利用者端末１０１から、会員専用サイトサブサーバ１０５が生成したセグメントＩＤを受信することに応答して、当該会員専用サイト外対応サーバ１０７（v.com）の訪問者を特定するためのクッキーＩＤを生成して、利用者端末１０１に送信する。
【００２７】
本発明では、利用者端末１０１が、会員専用サイトＡと切り離された会員専用サイト外対応サーバ１０７（v.com）のクッキーＩＤを広告配信サーバ１１２に渡すことで、会員専用サイトＡ内での履歴が外部に流出することを防ぎながら、会員の属性に合ったターゲティング広告を提供することができる。
【００２８】
また、会員専用サイト外対応サーバ１０７は、広告配信サーバ１１０から広告配信ログを受信し、広告配信ログ記憶部１０８に格納する。広告配信ログには、クッキーＩＤおよびアクセス先が記録され、本実施形態では、v.comのクッキーＩＤで特定される利用者が、どのウェブサイトにアクセスしたかが示されている。
【００２９】
本発明では、会員専用サイトＡと切り離された会員専用サイト外対応サーバ１０７（v.com）のクッキーＩＤを広告配信サーバ１１２に渡し、会員ＩＤを保持しない当該会員専用サイト外対応サーバ１０７において広告配信ログを受信することで、会員専用サイトを離れた後の利用者の閲覧履歴を会員専用サイト側が照合できないよう配慮されている。
【００３０】
次に、図２のブロック図を参照して、上記会員専用サイトサブサーバ１０５の構成を詳細に説明する。なお、図２では、単一のコンピュータシステムを想定し、必要な機能構成だけを示しているが、会員専用サイトサブサーバ１０５を、複数のコンピュータシステムによる多機能の分散システムの一部として構成することもできる。
【００３１】
会員専用サイトサブサーバ１０５は、ＣＰＵ２０１に、システムバス２０２を介してＲＡＭ２０３、入力装置２０４、出力装置２０５、通信制御装置２０６および不揮発性記憶媒体（ＲＯＭやＨＤＤなど）で構成される記憶装置２０７が接続された構成を有する。記憶装置２０７は、上記した機能を奏するためのソフトウェアプログラムを格納するプログラム格納領域と、随時取得するデータや処理結果としてのデータなどを格納するデータ格納領域とを備えている。以下に説明するプログラム格納領域の各手段は、実際は独立したソフトウェアプログラム、そのルーチンやコンポーネントなどであり、ＣＰＵ２０１によって記憶装置２０７から呼び出されＲＡＭ２０３のワークエリアに展開されて、データベースなどを適宜参照しながら順次実行されることで、各機能を奏するものである。
【００３２】
データ格納領域は、会員情報記憶部１０６、会員専用サイト内ＩＤ記憶部２０８、およびエントリー情報記憶部２０９を備える。何れも、記憶装置２０７内に確保された一定の記憶領域である。
【００３３】
会員情報記憶部１０６は、会員専用サイトの会員に関する情報を格納する。一実施形態では、会員情報記憶部１０６は、会員ＩＤ、性別、年齢、および嗜好情報などを格納する。本実施形態では、会員専用サイトメインサーバ１０３の会員データベース１０４に格納される会員に関する情報のうち、セグメントＩＤの生成に用いる属性情報を会員情報記憶部１０６に格納するものとする。
【００３４】
会員専用サイト内ＩＤ記憶部２０８は、会員専用サイトサブサーバ１０５が保有する各ＩＤを、会員ＩＤに関連付けて格納する。一実施形態では、図３に示されるように、会員専用サイト内ＩＤ記憶部２０８は、会員ＩＤに関連付けて、会員専用サイトサブサーバ１０５（v.my.com）の訪問者を特定するためのクッキーＩＤ、およびセグメントＩＤを格納する。
【００３５】
エントリー情報記憶部２０９は、会員専用サイトの会員向けキャンペーン広告に関するエントリー情報を登録する。一実施形態では、図４に示されるように、広告ＩＤおよび会員ＩＤを格納する。本実施形態では、会員専用サイトＡでは、会員によるエントリー完了後に有効となるキャンペーン広告を提供しており、エントリーが完了した会員ＩＤを、そのキャンペーン広告を識別する広告ＩＤと共にエントリー情報記憶部２０９で管理する。
【００３６】
プログラム格納領域に格納されているソフトウェアプログラムは、本発明に関連するものだけを列挙すると、会員ＩＤ処理手段２１０、ランディングページ提供手段２１１、およびエントリー要求処理手段２１２を備えている。
【００３７】
会員ＩＤ処理手段２１０は、利用者端末１０１から会員を識別する会員ＩＤを受信することに応答して、会員ＩＤに対応するセグメントＩＤ、および当該会員専用サイトサブサーバ１０５（v.my.com）の訪問者を特定するためのクッキーＩＤを利用者端末１０１に送信する。会員専用サイトサブサーバ１０５は、会員ＩＤと、v.my.comのクッキーＩＤと、セグメントＩＤとを関連付けて会員専用サイト内ＩＤ記憶部２０８に格納し、後述のターゲティング広告提供処理で利用する。
【００３８】
本実施形態では、会員をその属性情報に応じてセグメント化した複数のセグメント群を設け、各会員が特定のセグメントに分類されるよう管理するものとする。例えば、本実施形態では、会員をセグメント化するための属性情報として会員情報記憶部１０６に格納された性別、年齢、嗜好情報を用い、性別（1：男性、2：女性）、年齢（1：20歳以下、2：21歳から30歳、3：31歳から40歳、4：41歳から50歳、5：51歳以上）、嗜好情報（0：その他、1：スポーツ、2：料理、3：旅行、4：美容）を組み合わせたセグメントＩＤを利用することができる。
【００３９】
なお、セグメントＩＤの生成処理については、詳述しないが本技術分野で知られた任意の方法を用いることができる。また、会員専用サイトサブサーバ１０５は、すべての会員ＩＤについて、事前に対応するセグメントＩＤを生成することもできるし、会員ＩＤ処理手段２１０が会員ＩＤを受信したタイミングで、受信した会員ＩＤに対応するセグメントＩＤを生成することもできる。
【００４０】
ランディングページ提供手段２１１は、ウェブサイトＢのウェブページに表示されたターゲティング広告がクリックされた場合に表示される、ターゲティング広告に対応するランディングページを提供する。ランディングページとは、ウェブサイトの訪問者が、外部から当該ウェブサイトにやってくる際、一番初めに表示されるページである。
【００４１】
エントリー要求処理手段２１２は、利用者端末１０１から、エントリー要求を受信することに応答して、受信したエントリー要求に会員専用サイトサブサーバ１０５のドメインのクッキーＩＤが含まれるか否かを判定し、クッキーＩＤが含まれる場合、クッキーＩＤに対応する会員ＩＤを会員専用サイト内ＩＤ記憶部２０８から取得して、エントリー対象のキャンペーン広告を識別する広告ＩＤと共にエントリー情報記憶部２０９に格納する。
【００４２】
エントリー要求処理手段２１２の判定でクッキーＩＤが含まれないと判定される場合、エントリー要求処理手段２１２は、会員ＩＤを要求するログインページを提供することができる。
【００４３】
次に、図５のブロック図を参照して、上記会員専用サイト外対応サーバ１０７の構成を詳細に説明する。なお、図５では、単一のコンピュータシステムを想定し、必要な機能構成だけを示しているが、会員専用サイト外対応サーバ１０７を、複数のコンピュータシステムによる多機能の分散システムの一部として構成することもできる。
【００４４】
会員専用サイト外対応サーバ１０７は、ＣＰＵ５０１に、システムバス５０２を介してＲＡＭ５０３、入力装置５０４、出力装置５０５、通信制御装置５０６および不揮発性記憶媒体（ＲＯＭやＨＤＤなど）で構成される記憶装置５０７が接続された構成を有する。記憶装置５０７は、上記した機能を奏するためのソフトウェアプログラムを格納するプログラム格納領域と、随時取得するデータや処理結果としてのデータなどを格納するデータ格納領域とを備えている。以下に説明するプログラム格納領域の各手段は、実際は独立したソフトウェアプログラム、そのルーチンやコンポーネントなどであり、ＣＰＵ５０１によって記憶装置５０７から呼び出されＲＡＭ５０３のワークエリアに展開されて、データベースなどを適宜参照しながら順次実行されることで、各機能を奏するものである。
【００４５】
データ格納領域は、広告配信ログ記憶部１０８、および会員専用サイト外ＩＤ記憶部５０８を備える。何れも、記憶装置５０７内に確保された一定の記憶領域である。
【００４６】
広告配信ログ記憶部１０８は、広告配信サーバ１１０から受信した広告配信ログを格納する。広告配信ログには、クッキーＩＤおよびアクセス先が記録され、本実施形態では、v.comのクッキーＩＤで特定される利用者が、どのウェブサイトにアクセスしたかが示されている。
【００４７】
会員専用サイト外ＩＤ記憶部５０８は、会員専用サイト外対応サーバ１０７が保有する各ＩＤを関連付けて格納する。一実施形態では、図６に示されるように、会員専用サイト外対応サーバ１０７（v.com）の訪問者を特定するためのクッキーＩＤ、およびセグメントＩＤを格納する。
【００４８】
プログラム格納領域に格納されているソフトウェアプログラムは、本発明に関連するものだけを列挙すると、セグメントＩＤ処理手段５０９、および広告配信要求手段５１０を備えている。
【００４９】
セグメントＩＤ処理手段５０９は、利用者端末１０１から、会員専用サイトサブサーバ１０５が生成したセグメントＩＤを受信することに応答して、当該会員専用サイト外対応サーバ１０７（v.com）の訪問者を特定するためのクッキーＩＤを生成して、セグメントＩＤと共に利用者端末１０１に送信する。会員専用サイト外対応サーバ１０７は、v.comのクッキーＩＤと、セグメントＩＤとを関連付けて会員専用サイト外ＩＤ記憶部５０８に格納し、後述の広告配信要求処理の追加の実施形態で利用する。
【００５０】
広告配信要求手段５１０は、広告配信サーバ１１０に広告配信要求を送信する。本実施形態では、広告配信要求手段５１０は、広告配信サーバ１１０に、特定のセグメントＩＤに分類される会員に会員向けターゲティング広告が提供されるよう、セグメントＩＤおよび会員向けターゲティング広告の情報を含む広告配信要求を送信する。なお、広告配信要求は、会員専用サイト外対応サーバ１０７、または他のコンピュータにおいて、電子メールを用いて送信することもできる。
【００５１】
（実施形態）
次に、会員専用サイトＡにログインした会員Ｘが、その後、利用者端末１０１からウェブサイトＢにアクセスしてきた場合、表示されるウェブページの広告枠に、会員専用サイトＡの会員Ｘ向けのターゲティング広告を提供する処理を、図１および図７を用いて詳細に説明する。図７は、利用者端末（ブラウザ）１０１、会員専用サイトメインサーバ１０３、会員専用サイトサブサーバ１０５、会員専用サイト外対応サーバ１０７、ウェブサーバ１０９、および広告配信サーバ１１０の間のメッセージシーケンス図である。
【００５２】
（前処理）
会員Ｘが、利用者端末１０１において、ブラウザを用いて会員専用サイトメインサーバ１０３が運営する会員専用サイトＡにログインして、ウェブページを要求した時点から開始される前処理について説明する。
【００５３】
Ｓ７Ａ０１において、ブラウザは、会員専用サイトメインサーバ１０３にＨＴＴＰリクエストを送信する。
【００５４】
Ｓ７Ａ０２において、会員専用サイトメインサーバ１０３は、ブラウザから受信したＨＴＴＰリクエストを読み取り、要求内容を分析してＨＴＭＬデータを返信する。なお、後述するように、本ステップにおいて返信されるＨＴＭＬデータには、タグを使用して、会員専用サイトサブサーバ１０５、会員専用サイト外対応サーバ１０７、および広告配信サーバ１１０と通信し、必要な情報をやり取りする以降の処理が埋め込まれているものとする。
【００５５】
Ｓ７Ａ０３において、ブラウザが会員専用サイトメインサーバ１０３から受信したＨＴＭＬデータを解析し、ＨＴＭＬのタグを使用して埋め込まれたプログラムに従って、会員専用サイトサブサーバ１０５に会員専用サイトに現在ログインしている会員Ｘの会員ＩＤを送信する。なお、本ステップ以降の処理は、ブラウザの画面表示とは非同期で行われることが望ましい。
【００５６】
本実施形態では、ブラウザから会員専用サイトサブサーバ１０５に、会員Ｘの会員ＩＤ（1111111）が送信されたものとする。
【００５７】
Ｓ７Ａ０４において、会員専用サイトサブサーバ１０５の会員ＩＤ処理手段２１０は、ブラウザから会員ＩＤを受信することに応答して、会員ＩＤに対応するセグメントＩＤ、および当該会員専用サイトサブサーバ１０５（v.my.com）の訪問者を特定するためのクッキーＩＤを利用者端末１０１に送信する。この際、会員専用サイトサブサーバ１０５は、会員ＩＤと、v.my.comのクッキーＩＤと、セグメントＩＤとを関連付けて会員専用サイト内ＩＤ記憶部２０８に格納する。
【００５８】
本実実施形態では、会員ＩＤ処理手段２１０は、会員情報記憶部１０６に格納された会員ＩＤ（1111111）の属性情報に基づいて作成された、性別（2：女性）、年齢（2：21歳から30歳）、嗜好情報（4：美容）を組み合わせたセグメントＩＤ（224）を利用するものとする。会員ＩＤ処理手段２１０は、前述したセグメントＩＤ（224）、および当該会員専用サイトサブサーバ１０５（v.my.com）の訪問者を特定するためのクッキーＩＤ（aaaa）を利用者端末１０１に送信し、会員専用サイト内ＩＤ記憶部２０８（図３）に、会員ＩＤ（1111111）により特定されるレコードを格納したものとする。
【００５９】
Ｓ７Ａ０５において、ブラウザは、受信したv.my.comのクッキーＩＤおよびセグメントＩＤを、ブラウザのv.my.comのクッキーに記録する。本実施形態では、v.my.comのクッキーＩＤ（aaaa）およびセグメントＩＤ（224）が、v.my.comのクッキーに記録される。
【００６０】
Ｓ７Ａ０６において、ＨＴＭＬのタグを使用して埋め込まれたプログラムに従って、ブラウザが、会員専用サイト外対応サーバ１０７に、会員専用サイトサブサーバ１０５が生成したセグメントＩＤを送信する。本実施形態では、ブラウザが、会員専用サイト外対応サーバ１０７に、セグメントＩＤ（224）を送信する。
【００６１】
Ｓ７Ａ０７において、会員専用サイト外対応サーバ１０７のセグメントＩＤ処理手段５０９は、ブラウザからセグメントＩＤを受信することに応答して、当該会員専用サイト外対応サーバ１０７（v.com）の訪問者を特定するためのクッキーＩＤを生成して、セグメントＩＤと共に利用者端末１０１に送信する。この際、会員専用サイト外対応サーバ１０７は、v.comのクッキーＩＤと、セグメントＩＤとを関連付けて会員専用サイト外ＩＤ記憶部５０８に格納する。
【００６２】
本実施形態では、セグメントＩＤ処理手段５０９は、当該会員専用サイト外対応サーバ１０７（v.com）の訪問者を特定するためのクッキーＩＤ（1v1v1v）を生成して、セグメントＩＤと共に利用者端末１０１に送信し、会員専用サイト外ＩＤ記憶部５０８（図６）に、クッキーＩＤ（1v1v1v）により特定されるレコードを格納したものとする。
【００６３】
Ｓ７Ａ０８において、ブラウザは、受信したv.comのクッキーＩＤを、セグメントＩＤと共にブラウザのv.comのクッキーに記録する。本実施形態では、v.comのクッキーＩＤ（1v1v1v）が、セグメントＩＤ（224）と共にv.comのクッキーに記録される。
【００６４】
Ｓ７Ａ０９において、ＨＴＭＬのタグを使用して埋め込まれたプログラムに従って、ブラウザが、広告配信サーバ１１０に、会員専用サイト外対応サーバ１０７が生成したv.comのクッキーＩＤ、および会員専用サイトサブサーバ１０５が生成したセグメントＩＤを送信する。本実施形態では、ブラウザが、広告配信サーバ１１０に、v.comのクッキーＩＤ（1v1v1v）、およびセグメントＩＤ（224）を送信する。
【００６５】
Ｓ７Ａ１０において、広告配信サーバ１１０は、ブラウザからv.comのクッキーＩＤおよびセグメントＩＤを受信することに応答して、当該広告配信サーバ１１０（ad.com）の訪問者を特定するためのクッキーＩＤを生成して、利用者端末１０１に送信する。この際、広告配信サーバ１１０は、ad.comのクッキーＩＤと、ブラウザが保有するv.comのクッキーＩＤと、セグメントＩＤとを関連付けて記憶装置に格納する。
【００６６】
本実施形態では、広告配信サーバ１１０は、当該広告配信サーバ１１０（ad.com）の訪問者を特定するためのクッキーＩＤ（12345678）を生成して、利用者端末１０１に送信し、広告配信サーバ１１０が備えるＩＤ記憶部（図８）に、ad.comのクッキーＩＤ（12345678）と、ブラウザが保有するv.comのクッキーＩＤ（1v1v1v）と、セグメントＩＤ（224）とを関連付けて格納したものとする。
【００６７】
Ｓ７Ａ１１において、ブラウザは、受信したad.comのクッキーＩＤを、ブラウザのad.comのクッキーに記録する。本実施形態では、ad.comのクッキーＩＤ（12345678）がad.comのクッキーに記録される。
【００６８】
上記一連の前処理が、会員Ｘには何ら追加の操作を必要とすることもなく、会員Ｘに意識させることなく完了する。
【００６９】
（広告配信要求処理）
上記前処理に加えて、後述するターゲティング広告提供処理の前に、広告配信要求処理を行う。一実施形態では、会員専用サイト外対応サーバ１０７の広告配信要求手段５１０が、広告配信サーバ１１０に広告配信要求を送信する。本実施形態では、広告配信要求手段５１０は、広告配信サーバ１１０に、特定のセグメントＩＤに分類される会員にmy.com会員向けターゲティング広告が提供されるよう、セグメントＩＤおよびmy.com会員向けターゲティング広告の情報（ＨＴＭＬデータなど）を含む広告配信要求を送信する。
【００７０】
my.com会員向けターゲティング広告の情報には、ランディングページを提供する会員専用サイトサブサーバ１０５にアクセスさせるリンクが含まれるものとする。
【００７１】
広告配信要求手段５１０は、例えば、会員専用サイト外対応サーバ１０７の会員専用サイト外ＩＤ記憶部５０８に基づいて、会員専用サイト外ＩＤ記憶部５０８のレコード数が所定の基準値を超えたタイミングで登録済みのすべてのセグメントＩＤについて広告配信要求を送信する、あるいは、登録済みのセグメントＩＤのうち、会員専用サイト外ＩＤ記憶部５０８のレコード数が所定の基準値を超えたセグメントＩＤについてのみ広告配信要求を送信するなど、広告配信の戦略に応じた自由な構成とすることができる。
【００７２】
また、別の実施形態では、広告配信要求手段５１０は、前処理以前のタイミングに、構成し得るすべてのセグメントＩＤについて広告配信要求を送信することもできる。
【００７３】
広告配信サーバ１１０は、広告配信要求を受信することに応答して、広告を配信する利用者の条件、および配信する広告情報をターゲティングデータ記憶部１１１に格納する。本実施形態では、広告配信サーバ１１０は、図９に示されるように、広告を配信する利用者の条件としてセグメントＩＤを、および配信する広告情報としてmy.com会員向けターゲティング広告の情報を格納したものとする。
【００７４】
（ターゲティング広告提供処理）
前処理および広告配信要求処理の後、会員Ｘが、利用者端末１０１において、ウェブサーバ１０９が運営するウェブサイトＢにアクセスして、ウェブページを要求した時点から開始されるターゲティング広告提供処理について説明する。
【００７５】
Ｓ７Ｂ０１において、ブラウザは、ウェブサーバ１０９にＨＴＴＰリクエストを送信する。
【００７６】
Ｓ７Ｂ０２において、ウェブサーバ１０９は、ブラウザから受信したＨＴＴＰリクエストを読み取り、要求内容を分析して、ウェブサイトＢのＨＴＭＬデータを返信する。なお、後述するように、本ステップにおいて返信されるＨＴＭＬデータには、タグを使用して、広告配信サーバ１１０に広告を要求する処理が埋め込まれているものとする。
【００７７】
Ｓ７Ｂ０３において、ブラウザがウェブサーバ１０９から受信したウェブページのＨＴＭＬデータを解析し、ＨＴＭＬのタグを使用して埋め込まれたプログラムに従って、広告配信サーバ１１０にＨＴＴＰリクエストを送信する。
【００７８】
Ｓ７Ｂ０４において、広告配信サーバ１１０は、ブラウザにad.comのクッキーが記録された利用者端末１０１が、広告配信サーバ１１０にアクセスしてきた場合、ad.comのクッキーに記録されたad.comのクッキーＩＤに基づいてＩＤ記憶部およびターゲティングデータ記憶部１１１を参照して、ターゲティング広告を返信する。
【００７９】
本実施形態では、広告配信サーバ１１０は、ad.comのクッキーに記録されたad.comのクッキーＩＤ（12345678）に基づいて、ＩＤ記憶部（図８）から対応するセグメントＩＤ（224）を取得する。さらに、広告配信サーバ１１０は、取得したセグメントＩＤ（224）に対するターゲティング広告（ＨＴＭＬデータ1）をターゲティングデータ記憶部１１１（図９）から取得して返信する。
【００８０】
前述したように、ＨＴＭＬデータ1は、広告配信要求処理において登録されたmy.com会員向けターゲティング広告の情報であり、ランディングページを提供する会員専用サイトサブサーバ１０５にアクセスさせるリンクを含む。
【００８１】
Ｓ７Ｂ０５において、広告配信サーバ１１０は、Ｓ７Ｂ０４における広告配信処理に基づいて、広告配信ログを送信する。
【００８２】
本実施形態では、広告配信サーバ１１０は、ad.comのクッキーに記録されたad.comのクッキーＩＤ（12345678）に基づいて、ＩＤ記憶部（図８）の保有クッキーＩＤを参照して、保有クッキーＩＤがv.comのものであることから、v.comドメインの会員専用サイト外対応サーバ１０７に広告配信ログを送信する。
【００８３】
Ｓ７Ｂ０６において、会員Ｘが、Ｓ７Ｂ０２で受信したウェブページの広告枠で（Ｓ７Ｂ０４で受信したＨＴＭＬデータに基づいて）表示されるターゲティング広告をクリックすることに応答して、ブラウザは、会員専用サイトサブサーバ１０５にＨＴＴＰリクエストを送信する。
【００８４】
Ｓ７Ｂ０７において、会員専用サイトサブサーバ１０５のランディングページ提供手段２１１は、ブラウザから受信したＨＴＴＰリクエストを読み取り、要求内容を分析して、ターゲティング広告に対応するランディングページのＨＴＭＬデータを返信する。後述するように、本ステップにおいて返信されるＨＴＭＬデータには、タグを使用して、ブラウザに記録されたv.my.comのクッキーからクッキーＩＤを取得する処理が埋め込まれているものとする。
【００８５】
本実施形態では、ランディングページ提供手段２１１は、広告ＩＤ（001）のmy.com会員向けターゲティング広告に対応するランディングページのＨＴＭＬデータを返信する。
【００８６】
Ｓ７Ｂ０８において、会員Ｘが、ランディングページにおいてエントリー要求を送信する指示（クリック）することに応答して、ブラウザが会員専用サイトサブサーバ１０５から受信したＨＴＭＬデータを解析し、ＨＴＭＬのタグを使用して埋め込まれたプログラムに従って、v.my.comのクッキーから取得したクッキーＩＤを会員専用サイトサブサーバ１０５に送信する。
【００８７】
本実施形態では、ブラウザは、v.my.comのクッキーから取得したクッキーＩＤ（aaaa）を会員専用サイトサブサーバ１０５に送信したものとする。
【００８８】
Ｓ７Ｂ０９において、会員専用サイトサブサーバ１０５のエントリー要求処理手段２１２は、ブラウザから、エントリー要求を受信することに応答して、受信したエントリー要求に会員専用サイトドメインのクッキーＩＤが含まれるか否かを判定し、クッキーＩＤが含まれる場合、クッキーＩＤに対応する会員ＩＤを会員専用サイト内ＩＤ記憶部２０８から取得して、エントリー対象のキャンペーン広告を識別する広告ＩＤと共にエントリー情報記憶部２０９に格納する。
【００８９】
本実施形態では、エントリー要求処理手段２１２は、ブラウザからv.my.comのクッキーＩＤ（aaaa）を含むエントリー要求を受信して、エントリー要求に会員専用サイトドメインのクッキーＩＤが含まれると判定する。エントリー要求処理手段２１２は、v.my.comのクッキーＩＤ（aaaa）に対応する会員ＩＤ（1111111）を会員専用サイト内ＩＤ記憶部２０８（図３）から取得して、エントリー対象のキャンペーン広告を識別する広告ＩＤ（001）と共にエントリー情報記憶部２０９（図４）に格納する。
【００９０】
以上、本発明によれば、会員専用サイトの運営者は、会員専用サイトドメインのクッキーＩＤおよび会員専用サイトの会員ＩＤ等の個人情報を広告配信サーバに流出することなく、会員向けターゲティング広告を会員専用サイト外の広告枠で提供することができる。
【００９１】
この際、会員専用サイトの運営者は、会員専用サイトのシステムを運営するウェブサーバを修正することなく、当該ウェブサーバが提供する会員専用サイト内のウェブページのＨＴＭＬデータにタグを設定するだけで、当該効果を享受することができる。
【００９２】
また、ターゲティング広告の配信条件を指定するセグメントＩＤを（フレキシブルな開発修正が困難である会員専用サイト運営者側ではなく）ベンダー側で管理することで、柔軟なセグメントを設定し得る。
【００９３】
さらに、本発明によれば、会員専用サイトの会員は、自己の個人情報を会員専用サイト外に流出することなく、自らが一定の興味を有する広告に、会員専用サイト外のウェブサイトを経由してたどり着くことができる。この際、会員専用サイト側では、会員が会員専用サイト外のどのウェブサイトを経由して広告にたどり着いたのかを示す広告配信ログを受け取れないようにすることができるので、個人情報の問題を回避することができる。
【００９４】
さらにまた、本発明によれば、アドテクノロジーを使った広告サービスを提供する事業者は、従来サービス提供が現実的に難しかった会員専用サイトの運営者についても、顧客として獲得することができる。
【００９５】
（広告配信要求処理の追加の実施形態）
上述した広告配信要求処理の追加の実施形態を、図１０および図１１を用いて詳細に説明する。図１０は、本発明の別の実施形態に係る会員専用サイト外対応サーバの構成を示すブロック図であり、図１０において図５と重複する部分は図５と同じ符号を用いており、図５に相当する部分についての説明は省略する。
【００９６】
本実施形態では、会員専用サイト外対応サーバ１０７は、さらに、広告配信条件記憶部１００１、および広告配信条件処理手段１００２を備える。
【００９７】
広告配信条件記憶部１００１は、配信を希望する広告ごとに、配信対象となるセグメントＩＤを指定するための会員情報を格納する。一実施形態では、広告配信条件記憶部１００１は、広告ＩＤ、性別、年齢、および嗜好情報を格納する。広告配信条件は、１つの広告ＩＤに対して１以上の任意の数登録することができる。
【００９８】
広告配信条件処理手段１００２は、広告主から、配信を希望する広告の広告ＩＤ、および複数のセグメント群の中から１または複数のセグメントの選択指示を受信して、選択されたセグメントに対応する会員情報を広告配信条件記憶部１００１に格納する。
【００９９】
例えば、本実施形態では、広告配信条件処理手段１００２は、広告主から、配信を希望する広告の広告ＩＤ（001）および、21歳から30歳までの女性で、美容に関心があるセグメントの選択指示を受信して、広告配信条件記憶部１００１（図１１）に、広告ＩＤ（001）のレコードを格納したものとする。
【０１００】
同様に、広告配信条件処理手段１００２は、広告主から、配信を希望する広告の広告ＩＤ（002）および、21歳から30歳までの男性で、スポーツに関心があるセグメントの選択指示を受信して、広告配信条件記憶部１００１（図１１）に、広告ＩＤ（002）のレコードを格納し、さらに、広告主から、配信を希望する広告の広告ＩＤ（003）および、21歳から30歳までの男性で、スポーツに旅行があるセグメントの選択指示を受信して、広告配信条件記憶部１００１（図１１）に、広告ＩＤ（003）のレコードを格納したものとする。
【０１０１】
本実施形態では、さらに、広告配信要求手段５１０を、広告配信条件記憶部１００１に基づいて広告配信サーバ１１０に広告配信要求を送信するよう構成する。
【０１０２】
例えば、広告配信要求手段５１０は、図１１に示される広告配信条件記憶部１００１に基づいて、広告配信サーバ１１０に広告配信要求１（セグメントＩＤ（224）、ＨＴＭＬデータ1（広告ＩＤ：001））、広告配信要求２（セグメントＩＤ（121）、ＨＴＭＬデータ2（広告ＩＤ：002））、および広告配信要求３（セグメントＩＤ（123）、ＨＴＭＬデータ3（広告ＩＤ：003））を送信することができる。
【０１０３】
このような構成とすることで、本実施形態では、広告主の要求に応じて、特定のセグメントに分類される会員に対して、会員向けターゲティング広告を会員専用サイト外の広告枠で提供することができる。
【０１０４】
以上、本発明によれば、広告主は、セグメント群の中から広告配信を希望する会員が分類されるセグメントを選択するだけで、所望の会員向けターゲティング広告を会員専用サイト外の広告枠で提供することができる。
【０１０５】
（広告配信要求処理の追加の実施形態）
上述した広告配信要求処理の追加の実施形態を、図１２を用いて詳細に説明する。図１２は、本発明の別の実施形態に係る会員専用サイト外対応サーバの構成を示すブロック図であり、図１２において図５と重複する部分は図５と同じ符号を用いており、図５に相当する部分についての説明は省略する。
【０１０６】
本実施形態では、会員専用サイト外対応サーバ１０７は、さらに、広告配信ログ分析手段１２０１を備える。
【０１０７】
広告配信ログ分析手段１２０１は、広告配信ログに基づいて、会員の属性情報と、アクセス先のウェブサイトとの関係を分析する。前述したように広告配信ログには、クッキーＩＤおよびアクセス先が記録され、本実施形態では、v.comのクッキーＩＤで特定される利用者が、どのウェブサイトにアクセスしたかが示されている。
【０１０８】
そこで、広告配信ログ分析手段１２０１は、会員専用サイト外ＩＤ記憶部５０８を参照してv.comのクッキーＩＤに対応するセグメントＩＤを取得し、次に、取得したセグメントＩＤから、当該セグメントＩＤによって識別されるセグメントの属性情報を取得する。最後に、広告配信ログ分析手段１２０１は、取得した属性情報および広告配信ログに含まれるアクセス先に基づいて、会員の属性情報と、アクセス先のウェブサイトとの関係を分析する。
【０１０９】
例えば、広告配信ログ分析手段１２０１は、特定の属性情報を有する会員のアクセス率が高いウェブサイトを選定することができる。また、広告配信ログ分析手段１２０１は、特定のウェブサイトにアクセスした会員に共通する属性情報を分析することもできる。
【０１１０】
例えば、20代の女性が○○新聞のサイト、および××週刊誌のサイトへのアクセス率が高いという分析結果に基づいて、「○○新聞のサイトによくアクセスする20代女性」、「××週刊誌のサイトによくアクセスする20代女性」といった新たなセグメントを作成して広告配信の情報として利用することで、より効果的な広告配信を実現することが可能となる。
【０１１１】
本実施形態では、さらに、広告配信要求手段５１０を、広告配信ログ分析手段１２０１の分析結果に基づいて、複数の広告配信サーバの中から最適の広告配信サーバを選択して広告配信要求を送信するよう構成することもできる。
【０１１２】
例えば、20代の女性が特定のウェブサイトへのアクセス率が高いという分析結果に基づいて、広告配信要求手段５１０は、20代の女性が分類されるセグメントについて、当該アクセス率が高い特定のウェブサイトの広告枠を管理する広告配信サーバを選択して広告配信要求を送信することができる。
【０１１３】
このような構成とすることで、本実施形態では、会員向けターゲティング広告を、配信対象である会員がアクセスする可能性が高い会員専用サイト外の広告枠で提供することができる。
【０１１４】
さらに別の実施形態では、広告配信要求手段５１０を、広告配信ログ分析手段１２０１の分析結果に基づいて、特定の閲覧履歴を有する会員にmy.com会員向けターゲティング広告が提供されるよう、セグメントＩＤに加えて閲覧履歴の指定を含む広告配信要求を送信するよう構成することもできる。
【０１１５】
例えば、特定のウェブサイトを閲覧した人に会員向けターゲティング広告が多く提供されているという分析結果を利用して、セグメントＩＤに加えて、特定のウェブサイトの閲覧履歴の指定を含む広告配信要求を送信することができる。
【０１１６】
このような構成とすることで、本実施形態では、会員向けターゲティング広告を、指定した会員専用サイト外の閲覧履歴を有する会員に提供することができる。
【０１１７】
なお、本願明細書では、ブラウザを用いる例について記載しているが、狭義の「ブラウザ」に限定されず、ウェブページや会員向けコンテンツを閲覧するために利用し得るすべてのアプリケーションに適用できることは、当業者には理解されるところである。
【０１１８】
さらに、本願明細書では、クッキーＩＤを使用する例について記載しているが、ブラウザや端末を特定し得る他の技術、また今後開発され得る種々の技術を採用できることは、当業者には理解されるところである。
【要約】
【課題】会員専用サイト内で表示される会員向けターゲティング広告を、利用者の個人情報を流出することなく、会員専用サイト外の広告枠で提供するシステムを提供する。
【解決手段】会員専用サイトの会員ＩＤに対応するセグメントＩＤを生成する会員専用サイトサブサーバと、会員専用サイトと切り離されたドメインのクッキーＩＤを生成する会員専用サイト外対応サーバとを備え、会員専用サイト外対応サーバのドメインのクッキーＩＤとセグメントＩＤとを広告配信サーバに送信し、広告配信サーバから受信した広告配信サーバのドメインのクッキーＩＤを当該ブラウザに記録することで、ブラウザに広告配信サーバ用クッキーが記録された利用者端末が、広告配信サーバにアクセスした際、広告配信サーバのドメインのクッキーＩＤに対応するセグメントＩＤで指定された会員向けターゲティング広告が利用者端末に提供されることを可能とした。
【選択図】図７【図１】
0005843983.tif 000002
【図２】
0005843983.tif 000003
【図３】
0005843983.tif 000004
【図４】
0005843983.tif 000005
【図５】
0005843983.tif 000006
【図６】
0005843983.tif 000007
【図７】
0005843983.tif 000008
【図８】
0005843983.tif 000009
【図９】
0005843983.tif 000010
【図１０】
0005843983.tif 000011
【図１１】
0005843983.tif 000012
【図１２】
0005843983.tif 000013